(57)【要約】【課題】      釣り具に巻き付けたベルトが外周に大きく突出することを防止し、締め付けが容易な釣り具用ベルトを提供することである。【解決手段】  釣り具用ベルト１は、柔軟性と伸縮性を有するベルト本体２とこのベルト本体２の後端２ｂ側の内面２ｆに設けた止め具３ｂとベルト本体２の外面２ｅの前端２ａから後端２ｂにかけて設けた止め具３ａで形成され、後端２ｂ側にその左右側面２ｃ、２ｄが後端２ｂ側になるにつれて徐々に接近するように形成したテーパー部Ｔ１を有し、後端２ｂ側になるにつれてベルト本体２の幅が徐々に狭くなるように形成されている。【選択図】        図１
2007175025.tif 000002
【特許請求の範囲】
【請求項１】
伸縮性を有するベルト本体の少なくとも内面と外面に互いに係合可能な止め具を有する釣り具用ベルトにおいて、前記ベルト本体の少なくとも一端側を前記一端になるにつれて幅狭になるように形成したことを特徴とする釣り具用ベルト。
【請求項２】
ベルト本体の少なくとも左右のいずれか一側にテーパー部を形成し前記ベルト本体の一端になるにつれて幅狭になるように形成したことを特徴とする請求項１記載の釣り具用ベルト。
【発明の詳細な説明】
【技術分野】
【０００１】
本発明は、釣り場に携行する釣竿を束ねて保持したり、釣り用リールのスプ−ルに巻回された釣糸が巻き解けないように保持する等に使用する釣り具用ベルトに関する。
【背景技術】
【０００２】
従来から特許文献１のように複数本の釣竿を携帯する時には釣竿を束ねるために、発泡ゴム（クロロプレ−ンゴム）のシ−トの外面の全面にル−プ状に繊維を起立させた面ファスナ−雌部を設け、内面の後端側に鈎状の繊維を起立させた面ファスナ−雄部を設けて両面ファスナ−を係合する柔軟なベルトを釣竿に巻回していた。
【特許文献１】特開平１１−３１８２９７
【発明の開示】
【発明が解決しようとする課題】
【０００３】
解決しようとする問題点は、特許文献１のように、釣竿の竿管の外周に沿って巻回されたベルトが複数周捲回されると、ベルトが巻き重ねられて徐々に厚みを増し、外側に大きく突出し邪魔になることに加え、ベルトが同一幅で形成されていると巻き終わりに伸縮性のあるベルト本体を引き伸ばす引っ張り力がより必要となるため、緩みなく締め付けて巻き付けることが難しいという欠点がある。
【０００４】
本発明の目的は上記欠点に鑑み、釣り具に巻き付けたベルトが外周に大きく突出することを防止し、締め付けが容易な釣り具用ベルトを提供することである。
【課題を解決するための手段】
【０００５】
本発明の請求項１は、伸縮性を有するベルト本体の少なくとも内面と外面に互いに係合可能な止め具を有する釣り具用ベルトにおいて、前記ベルト本体の少なくとも一端側を前記一端になるにつれて幅狭になるように形成したことを要旨とするものである。
本発明の請求項２は、ベルト本体の少なくとも左右のいずれか一側にテーパー部を形成し前記ベルト本体の一端になるにつれて幅狭になるように形成したことを要旨とするものである。
【発明の効果】
【０００６】
本発明により、釣り具の外側に捲回されたベルト本体の外周への突出を少なくすることができ、ベルト本体の締め付けが容易になる。
【発明を実施するための最良の形態】
【０００７】
以下、図示の実施例によって本発明を説明すると、図１から図４が本発明の釣り具用ベルトの第１実施例で、図１は釣り具用ベルトの平面図、図２は釣り具用ベルトの断面側面図、図３は釣竿が釣り具用ベルトで束ねられた斜視図、図４は釣竿を束ねた釣り具用ベルトの断面図である。
【０００８】
釣り具用ベルト１は、図１、図２のように、クロロプレ−ンゴムなどの発泡ゴムやウレタンなどの発泡合成樹脂で形成され、柔軟性と伸縮性を有するベルト本体２とこのベルト本体２の一端の後端２ｂ側の内面２ｆに固定して設けた止め具３ｂとベルト本体２の外面２ｅの他端の前端２ａから後端２ｂにかけて固定して設けた止め具３ａで形成されている。
【０００９】
ベルト本体２の外面２ｅの止め具３ａはル−プ状にした繊維を起立させた面ファスナ−雌部で、ベルト本体２の外面２ｅの前端２ａから後端２ｂにかけて連続して設けたが、ベルト本体２の少なくとも外面２ｅの前端２ａ側に設けられていればよい。
他の止め具３ｂは止め具３ａと係合可能な鈎状の繊維を起立させた面ファスナ−雄部で、ベルト本体２の後端２ｂ側の内面２ｆに設けられており、ベルト本体２の内面２ｆの止め具３ｂ以外の部分は、ベルト本体２を形成する多孔質の発泡材が露呈し、釣具に当接し捲回されるため滑りが防止されて釣具を確実に保持できる。
また、ベルト本体２を形成する発泡材は、その柔軟性と伸縮性により釣具に密着しやすい。
【００１０】
止め具３ａと止め具３ｂはベルト本体２が釣り具に捲回されてベルト本体２の外面２ｅと内面２ｆが重ねられた時、互いに貼着して係合するようになっている。
なお、止め具は、面ファスナーに限らずスナップなど他の構成のものを用いてもよい。
【００１１】
ベルト本体２は、前端２ａ側にその左右側面２ｃ、２ｄが平行になるように形成されたストレート部Ｓを有し、このストレート部Ｓが形成された部分はベルト本体２の幅（左右側面２ｃ、２ｄの距離）が同一に形成されている。
【００１２】
さらに、ベルト本体２は一端の後端２ｂ側にその左右側面２ｃ、２ｄが後端２ｂになるにつれて徐々に接近するように形成したテーパー部（傾斜部）Ｔ１を有し、この部分は左右側面２ｃ、２ｄが同じ角度で傾斜し、ベルト本体２の後端２ｂ側が後端２ｂになるにつれてベルト本体２の幅が徐々に狭くなるように形成されている。
したがって、他端の前端２ａより後端２ｂの幅が狭く、また、テーパー部（傾斜部）Ｔ１が形成された部分では後端２ｂの幅が最も狭くなっており、釣り具に捲回した時は、始めに捲回された前端２ａ側よりも後端２ｂ側のテーパー部（傾斜部）Ｔ１が形成された部分の方が幅が狭くなっている。
【００１３】
テーパー部（傾斜部）Ｔ１はストレート部Ｓから連続して図１の一点鎖線で示す境界部Ｐから左右側面２ｃ、２ｄの方向が変位するようにして形成され、テーパー部（傾斜部）Ｔ１は、ストレート部Ｓがベルト本体２の長手方向の中間位置Ｃを越えて後端２ｄ側に少し延長された位置まで設けられているため、ベルト本体２の長手方向の中間位置Ｃより後端２ｄ側に形成されている。
【００１４】
図３、図４で釣り具の釣竿Ｒが束ねられる時は、ベルト本体２の前端２ａを釣り具の釣竿Ｒと釣竿Ｒの間に挾み込み、次に釣竿Ｒの周りにベルト本体２が捲回されて後端２ｂの止め具３ｂがベルト本体２の外面２ｅの止め具３ａに係合され、ベルト本体２が釣竿Ｒの外側に渦巻き状に巻き重ねて捲回されて巻き重ねたベルト本体２同志が密着された状態となる。
なお、釣り具用ベルト１は釣り具に捲回された時、内側（釣り具側）になるのがベルト本体２の内面２ｆで、外側になるのがベルト本体２の外面２ｅであり、また、釣り具に捲回を開始する端部が前端２ａで、釣り具への捲回を終了する端部が後端２ｂとなる。
第１実施例では、釣り具用ベルト１はベルト本体２の内面２ｆに設けた後端２ｂの止め具３ｂをベルト本体２の釣り具への捲回終了時に止め具３ａに係合することで釣り具の釣竿Ｒに捲回された状態で保持される。
【００１５】
釣り具用ベルト１は釣り具に捲回されると、ベルト本体２は境界部Ｐから後端２ｂ側にテーパー部Ｔ１が形成されて後端２ｂになるにつれて幅狭になるように形成されているため、ベルト本体２の前端２ａ側のストレート部Ｓが形成された部分の外面２ｅに巻き重ねられると、テーパー部Ｔ１の左右側面２ｃ、２ｄはストレート部Ｓの左右側面２ｃ、２ｄからはみ出さないで捲回することができる。
【００１６】
しかも、ベルト本体２はテーパー部Ｔ１が形成された幅狭になった部分は、ベルト本体２を形成する材料の柔軟性と伸縮性によって巻き重ねたストレート部Ｓが形成された前端２ａ側の部分の外面２ｅを押圧し凹部Ｏが形成され、この凹部Ｏに食い込む様に入り込み外面２ｅに密着するため釣り具用ベルト１は捲回後の外周寸法がコンパクトにでき外方への突出が少ない。
また、後端２ｂ側のテーパー部Ｔ１が形成された幅狭になった部分はストレート部Ｓよりも引き伸ばしやすく、また、引き伸ばすことで厚味が薄くなるため、このことによっても釣り具に対しコンパクトに捲回でき外方への突出が少なくなる。
【００１７】
さらに、ベルト本体２はテーパー部Ｔ１が形成された幅狭になった部分は、ストレート部Ｓが形成された前端２ａ側の部分に比べ引き伸ばしやすくベルト本体の締め付け操作が容易に出来、巻き終わりに強く締め付けることができるため緩みを少なくし、確実に釣り具の釣竿Ｒを束ねて保持することが出来る。
しかも、ベルト本体２の後端２ｂ部側はテーパー部Ｔ１が形成されることでより後端２ｂ側になるにつれて徐々に幅狭になるように形成されているため、後端２ｂになるにつれて引き伸ばしやすくなって巻き終わりに向けて徐々に引き伸ばし量を増やし強く締め付けることができるためベルト本体２が皺にならず密着して捲回することが容易になる。
【００１８】
このようにベルト本体２の後端２ｂ部側が緊張した状態で面ファスナの止め具３ａと止め具３ｂが係合するため、止め具３ｂが引き戻されるようになって止め具３ａに当接した位置よりわずかにずれるようにして両者が確実に係合し、係合状態も確実に維持される。
【００１９】
前記のように釣り具用ベルト１が構成されると、釣り具である釣竿Ｒの外側に捲回されたベルト本体２は外周に大きく突出することがなく、また、ベルト本体２の締め付けを行いながら容易に巻き付けができ、束ねられた釣り具の釣竿Ｒが緩むことがないので釣り具用ベルト１が脱落することが防止される。
なお、テーパー部Ｔ１の形状は、直線状に限らず曲線状でも、また、テーパー部Ｔ１の一部に外側に突出する部分があってもよく、全体にベルト本体２の後端２ｂ部側に向けて幅狭になるように形成さていればその形状は限定されない。
【００２０】
図５から図６は、本発明の釣り具用ベルトの第２実施例で、図５は釣り具用ベルトの平面図、図６は釣り具用ベルトの断面側面図である。
【００２１】
この釣り具用ベルト１は、第１実施例と同様に、柔軟性と伸縮性を有するベルト本体２とこのベルト本体２の後端２ｂ側の内面２ｆに固定された止め具３ｂとベルト本体２の外面２ｅの前端２ａから後端２ｂにかけて設けた止め具３ａで形成されている。
【００２２】
この釣り具用ベルト１は前端２ａから中間部Ｃを経て後端２ｂ側にかけてその左右側面２ｃ、２ｄにテーパー部Ｔ２が形成され、ベルト本体２は後端２ｂにて後端２ｂ側になるにつれて幅狭になるように形成されているが、その後端２ｂには左右に膨出状に広がるように形成された摘み部２ｇが形成されている。
この摘み部２ｇの内面２ｆに止め具３ｂが設けられ、この止め具３ｂ内面２ｆに対向する外面２ｅ側にはベルト本体２より硬質の材料で形成したカバー体４が取り付けられており、摘み部２ｇが容易に摘むことができるようになっている。
なお、第２実施例では前端２ａから中間部Ｃを経て後端２ｂ側にかけてその左右側面２ｃ、２ｄにテーパー部Ｔ２が形成されたが、第１実施例のようにテーパー部は少なくとも後端２ｂ側に設けられていればよい。
その他の構成は第１実施例と同様である。
【００２３】
第２実施例の釣り具用ベルト１によっても釣り具に捲回されると、ベルト本体２のテーパー部Ｔ２が形成された幅狭になった部分は、その左右側面２ｃ、２ｄからはみ出さないで捲回することができ、ベルト本体２を形成する材料の柔軟性と伸縮性によって巻き重ねたストレート部Ｓが形成された前端２ａ側の部分の外面２ｅを押圧しこれに食い込んで密着するため、釣り具用ベルト１は釣り具に対しコンパクトに捲回でき、脱落しにくい。
また、摘み部２ｇによってベルト本体２を充分に締め付けて捲回出来る。
【００２４】
図７から図８は、本発明の釣り具用ベルトの第３実施例で、図７は釣り具用ベルトの平面図、図８は釣り具用ベルトの断面側面図である。
【００２５】
この釣り具用ベルト１は、第１、２実施例と同様に、柔軟性と伸縮性を有するベルト本体２とこのベルト本体２の後端２ｂ側の内面２ｆに固定された止め具３ｂとベルト本体２の外面２ｅの前端２ａから後端２ｂにかけて設けた止め具３ａで形成されている。
【００２６】
この釣り具用ベルト１は前端２ａから中間部Ｃを越えて後端２ｂ側にかけてストレート部Ｓが形成されているが、その後端２ｂ側にてその一側面の左側側面２ｃのみ後端２ｂ側になるにしたがって徐々に幅狭になるように複数の段部で形成された階段状のテーパー部Ｔ３が形成されている。
【００２７】
階段状のテーパー部Ｔ３が形成された部分は後端２ｂになるにしたがって断続的にベルト本体２の左右側面２ｃ、２ｄの幅が狭くなっているが、第１、２実施例と同様にベルト本体２のテーパー部Ｔ３が形成された幅狭になった部分は、その左右側面２ｃ、２ｄからはみ出さないで捲回することができ、また、ベルト本体２を形成する材料の柔軟性と伸縮性によって巻き重ねたストレート部Ｓが形成された前端２ａ側の部分の外面２ｅを押圧しこれに食い込んで密着するため、釣り具用ベルト１は釣り具に対しコンパクトに捲回でき、脱落しにくい。
その他の構成は第１実施例と同様である。
【００２８】
第３実施例のようにテーパー部Ｔ３を階段状に形成したり、左右側面２ｃ、２ｄの何れか一方に設けても同様の効果が期待できる。
【産業上の利用可能性】
【００２９】
本発明は釣り具用ベルト全般に利用できる。
【図面の簡単な説明】
【００３０】
【図１】第１実施例で、釣り具用ベルトの平面図である。
【図２】同釣り具用ベルトの釣り具用ベルトの断面側面図である。
【図３】同釣り具の釣竿が釣り具用ベルトで束ねられた斜視図である。
【図４】同釣竿を束ねた釣り具用ベルトの断面図である。
【図５】第２実施例で、釣り具用ベルトの平面図である。
【図６】同釣り具用ベルトの断面側面図である。
【図７】第３実施例で、釣り具用ベルトの平面図である。
【図８】同釣り具用ベルトの断面側面図である。
【符号の説明】
【００３１】
１  釣り具用ベルト
２  ベルト本体
２ａ  前端
２ｄ  後端
３ａ、３ｂ  止め具
Ｔ１、Ｔ２、Ｔ３  テーパー部
【図１】
2007175025.tif 000003
【図２】
2007175025.tif 000004
【図３】
2007175025.tif 000005
【図４】
2007175025.tif 000006
【図５】
2007175025.tif 000007
【図６】
2007175025.tif 000008
【図７】
2007175025.tif 000009
【図８】
2007175025.tif 000010